(57)【要約】【課題】  位置検出装置において光検出装置の光検出素子間のギャップの存在により引き起こされるミスジャッジを減らし、感度の低下を解決すること。【解決手段】  本発明の位置検出装置は、光源、キャプスタン及び光検出装置を具え、キャプスタンに光源より投射された光を通過させる複数のスリットが設けられ、該スリットを通過した光が光検出装置の複数の光検出素子に吸収され、光検出素子が非矩形態様とされ、且つ各二つの光検出素子の間にギャップが存在し、該ギャップの垂直延伸位置がそのうち一つの光検出素子の一部作用面積に存在するようにしている。【選択図】        図５
2005055322.tif 000002
【特許請求の範囲】
【請求項１】
投射光を発生する光源と、
該光源からの投射光を受け取り並びに処理して信号光を発生する光学機構と、
該光学機構の一側に設けられ、複数の光検出ユニットを具え、各光検出ユニットが該信号光を受け取ることができる少なくとも一つの光検出素子を具え、該光検出素子が非矩形態様とされた光検出装置と、
を具えたことを特徴とする、位置検出装置。
【請求項２】
請求項１記載の位置検出装置において、隣り合う光検出装置の間にギャップが存在し、該ギャップの垂直延伸位置に一つの光検出素子の一部作用面積が存在することを特徴とする、位置検出装置。
【請求項３】
請求項１記載の位置検出装置において、光検出素子が平行四辺形態様とされ、隣り合う平行四辺形の光検出素子が相互に平行に設置されたことを特徴とする、位置検出装置。
【請求項４】
請求項１記載の位置検出装置において、光検出素子が台形態様とされ、隣り合う台形の光検出素子が隣り合う台形の光検出素子と相互に倒置関係にあることを特徴とする、位置検出装置。
【請求項５】
請求項４記載の位置検出装置において、光検出素子が台形態様とされ、台形の光検出素子の長い下底の垂直延伸位置に隣り合う台形の光検出素子の長い下底が存在することを特徴とする、位置検出装置。
【請求項６】
請求項１記載の位置検出装置において、光検出素子が垂直手段と、該垂直手段の一側の端部より水平方向に延伸された第１水平手段と、該垂直手段のもう一側の端部より水平方向に延伸された第２水平手段とを具えたことを特徴とする、位置検出装置。
【請求項７】
請求項６記載の位置検出装置において、光検出素子の第１水平手段の側辺の垂直延伸位置に別の光検出素子の第２水平手段が存在することを特徴とする、位置検出装置。
【請求項８】
請求項６記載の位置検出装置において、第１水平手段の長さが第２水平手段の長さと等しいことを特徴とする、位置検出装置。
【請求項９】
請求項６記載の位置検出装置において、第１水平手段の長さが第２水平手段の長さより長いことを特徴とする、位置検出装置。
【請求項１０】
請求項１記載の位置検出装置において、光検出素子がＴ形態様とされて、各Ｔ形の光検出素子が隣り合う光検出素子と相互に倒置関係にあることを特徴とする、位置検出装置。
【請求項１１】
請求項１記載の位置検出装置において、光検出ユニットが信号選択回路を具え、一つの光検出素子の獲得した信号光数量が最大の時、その位置にある光検出ユニットが第１ロジック信号を出力し、その他の光検出ユニットが第２ロジック信号を出力することを特徴とする、位置検出装置。
【請求項１２】
請求項１１記載の位置検出装置において、光検出素子の獲得する信号光数量の判断が最大選択回路により一度で完成することを特徴とする、位置検出装置。
【請求項１３】
請求項１１記載の位置検出装置において、光検出素子の獲得する信号光数量の判断が少なくとも一つの比較増幅回路により一度で完成することを特徴とする、位置検出装置。
【請求項１４】
請求項１記載の位置検出装置において、第１ロジック信号、第２ロジック信号及びその組合せのうち一つをデジタル信号に変換する設定及びリセットスイッチを具えたことを特徴とする、位置検出装置。
【請求項１５】
請求項１記載の位置検出装置において、光学機構がキャプスタンとされ、該キャプスタンに複数のスリットが形成されたことを特徴とする、位置検出装置。
【請求項１６】
請求項１記載の位置検出装置において、位置検出装置がカーソルポインタ、マウス、回転ボタン及びその組合せのいずれかに応用されたことを特徴とする、位置検出装置。
【請求項１７】
投射光を発生する光源と、
該光源からの投射光を受け取り並びに処理して信号光を発生する光学機構と、
該光学機構の一側に設けられ、複数の光検出ユニットを具え、各光検出ユニットが該信号光を受け取ることができる少なくとも一つの光検出素子を具え、該光検出素子と該信号光が投射する光照射エリアとの間に傾斜角度が存在する光検出装置と、
を具えたことを特徴とする、位置検出装置。
【請求項１８】
請求項１７記載の位置検出装置において、光検出素子が非矩形態様とされたことを特徴とする、位置検出装置。
【請求項１９】
請求項１７記載の位置検出装置において、隣り合う光検出素子の間にギャップが存在し、該ギャップの垂直延伸位置に一つの光検出素子の一部作用面積が存在することを特徴とする、位置検出装置。
【請求項２０】
投射光を発生する光源と、キャプスタンと光検出装置を具え、
該キャプスタンは該投射光を通過させる複数のスリットを具え、該スリットと該キャプスタンの中央位置に傾斜角度が存在し、該光検出装置は、該キャプスタンの一側に位置し、該光検出装置が複数の光検出ユニットを具え、各光検出ユニットが該信号光を受け取ることができる少なくとも一つの光検出素子を具えたことを特徴とする、位置検出装置。
【請求項２１】
請求項２０記載の位置検出装置において、投射光がスリットを通過した後に、光検出装置上に非矩形態様の光照射エリアを形成することを特徴とする、位置検出装置。
【請求項２２】
請求項２０記載の位置検出装置において、投射光がスリットを通過した後に、光検出ユニットが矩形態様とされたことを特徴とする、位置検出装置。
【発明の詳細な説明】
【技術分野】
【０００１】
本発明は一種の位置検出装置に係り、特に光学式の位置検出装置であり、光検出装置のギャップの存在により引き起こされるミスジャッジ或いは感度低下の欠点を改善した、位置検出装置に関する。
【背景技術】
【０００２】
光学式位置検出装置は高い感度、高い解析度、信号の識別の容易さ、及び雑音を減らせる長所を有しており、このため、コンピュータマウス、カーソルポインタ或いは消費性電子製品に広く使用されている。
【０００３】
業界では位置検出装置の特性及び製品の要求に対して、各種の位置検出装置を開発している。例えば本件出願人による特許文献１の「位置と角度変化を検出する検出装置」がある。
【０００４】
図１、２、３は前述の特許文献１に記載の「位置と角度変化を検出する検出装置」の斜視図、構造ブロック図、及び光検出ユニット表示図である。それによると、位置検出装置はキャプスタン１２、光源１８及び光検出装置２０を具えている。そのうち光源１８及び光検出装置２０はキャプスタン１２の両側に位置する。キャプスタン１２の適当な位置には外界から作用力を加えられる軸１６が設けられ、該キャプスタン１２の側縁部分に、光源１８の投射光を通過させる複数のスリット１４が設けられ、一部の投射光がスリット１４を通過して信号光１８７となり、光検出装置２０に照射される。
【０００５】
光検出装置２０は複数の光検出ユニット２２１〜２２４を具え、各光検出ユニット２２１〜２２４は電源供給を受ける電源接点３８、第１接続端子２４、第２接続端子２６、及び信号光１８７を吸収できる光検出素子（光センサ）、例えば第１光検出ユニット２２１の光検出素子２８１を具えている。光検出素子２８１は信号光１８７を吸収した後に電流信号を発生し、この電流信号を電流ミラー回路３０を介して信号選択回路３２に伝送し、信号選択回路３２の最大電流選択回路３２２が第１接続端子２４により相互に電気的に連接されたその他の光検出ユニット２２２〜２２４と比較し、どの光検出素子２８１〜２８４の吸収した信号光１８７の数量が最多であるかを判断する。さらにこの結果が電流変換回路３２６と設定及びリセットスイッチ３６の作用によりデジタルエンコード信号に変換され、該デジタルエンコード信号が位置検出装置の移動の距離の大きさと角度変化の正確な換算に供される。
【０００６】
信号選択回路３２中にはさらに電流総計及びフィードバック回路３２４があり、電流ミラー回路３０より入力された電流値を第２接続端子２６により全ての光検出素子２８１〜２８４の電流値を加えた値の半分より更に大きいかを知る。その後、同様にこの結果を電流変換回路３２６と設定及びリセットスイッチ３６の作用によりデジタルエンコード信号に変換し、該デジタルエンコード信号が位置検出装置の移動の距離の大きさと角度変化の正確な換算に供される。
【０００７】
上述の従来の技術が製品に応用されると、満足のいく位置検出結果を得ることができるが、尚も以下のような欠点がある。図４及び図１に示されるように、各光検出素子２８１〜２８４はいずれも矩形態様とされ、且つどれも光検出装置２０上に平行に設置され、各二つの光検出素子２８１〜２８４の間には自然にギャップ２８８が形成される。装置の機構特性により、スリット１４も一定の幅を有するため信号光１８７が照射される光検出装置２０位置の光照射エリアは二つの光検出素子の幅の和より大きくなる可能性があり、これは第２光照射エリア１８２に示されるとおりである。
【０００８】
キャプスタン１２の回転或いは作用に伴い、信号光１８７の光検出装置２０に照射する照射エリア位置も移動中に、例えば第１光照射エリア１８１から第２光照射エリア１８２、及び第３光照射エリア１９３に移動する。第１光照射エリア１８１の時、その信号選択回路３２は順調に第１光検出素子２８１の受光面積が最大であると判断できる。しかし第２光照射エリア１８２の時、第１光検出素子２８１と第２光検出素子２８２はいずれも全部が受光作用エリア内に位置するため、両者の受光面積は同じくなる。このため判断上のエラーが発生したりその感度が下がる。続いて、第３光照射エリア１８３に至ると、信号選択回路３２は順調に第２光検出素子２８３の受光面積が最大であると判断できる。
【０００９】
移動位置の検出は一系列の判断の組合せであるが、ギャップ２８８の存在があるため、光照射エリアがその範囲内の移動期間に判断不能となり感度が下がったり或いは反応不能となる状況が発生する。これは使用に正確性と感度に高い品質が要求される場合、使用上の問題を形成しうる。
【００１０】
当然、上述の問題を回避するため、一つの光照射エリア１８２が二つの光検出素子２８１、２８２を同時に存在させない大きさにスリット１４の幅を縮小することができるが、これは即ち体積が非常に小さいキャプスタン１２の上面に精密に各スリット１４を切削しなければならなくなり、技術レベルが高くなるだけでなく、大幅に製造コストを増すことになる。
【００１１】
【特許文献１】台湾特許公告第５２３０８２号明細書
【発明の開示】
【発明が解決しようとする課題】
【００１２】
このため、ギャップの存在により感度が下がる問題を有効に解決する新たな位置検出装置が求められている。
【００１３】
本発明の主要な目的は、従来の技術の欠点を解決する位置検出装置を提供することにある。
【００１４】
本発明の次の目的は、ギャップにより引き起こされる判断不能の問題を徹底的に解決し、これにより正確性と感度を高めた位置検出装置を提供することにある。
【００１５】
本発明のもう一つの目的は、製造コストを増加することなく、感度を高め、反応時間を加速した位置検出装置を提供することにある。
【課題を解決するための手段】
【００１６】
請求項１の発明は、投射光を発生する光源と、
該光源からの投射光を受け取り並びに処理して信号光を発生する光学機構と、
該光学機構の一側に設けられ、複数の光検出ユニットを具え、各光検出ユニットが該信号光を受け取ることができる少なくとも一つの光検出素子を具え、該光検出素子が非矩形態様とされた光検出装置と、
を具えたことを特徴とする、位置検出装置としている。
請求項２の発明は、請求項１記載の位置検出装置において、隣り合う光検出装置の間にギャップが存在し、該ギャップの垂直延伸位置に一つの光検出素子の一部作用面積が存在することを特徴とする、位置検出装置としている。
請求項３の発明は、請求項１記載の位置検出装置において、光検出素子が平行四辺形態様とされ、隣り合う平行四辺形の光検出素子が相互に平行に設置されたことを特徴とする、位置検出装置としている。
請求項４の発明は、請求項１記載の位置検出装置において、光検出素子が台形態様とされ、隣り合う台形の光検出素子が隣り合う台形の光検出素子と相互に倒置関係にあることを特徴とする、位置検出装置としている。
請求項５の発明は、請求項４記載の位置検出装置において、光検出素子が台形態様とされ、台形の光検出素子の長い下底の垂直延伸位置に隣り合う台形の光検出素子の長い下底が存在することを特徴とする、位置検出装置としている。
請求項６の発明は、請求項１記載の位置検出装置において、光検出素子が垂直手段と、該垂直手段の一側の端部より水平方向に延伸された第１水平手段と、該垂直手段のもう一側の端部より水平方向に延伸された第２水平手段とを具えたことを特徴とする、位置検出装置としている。
請求項７の発明は、請求項６記載の位置検出装置において、光検出素子の第１水平手段の側辺の垂直延伸位置に別の光検出素子の第２水平手段が存在することを特徴とする、位置検出装置としている。
請求項８の発明は、請求項６記載の位置検出装置において、第１水平手段の長さが第２水平手段の長さと等しいことを特徴とする、位置検出装置としている。
請求項９の発明は、請求項６記載の位置検出装置において、第１水平手段の長さが第２水平手段の長さより長いことを特徴とする、位置検出装置としている。
請求項１０の発明は、請求項１記載の位置検出装置において、光検出素子がＴ形態様とされて、各Ｔ形の光検出素子が隣り合う光検出素子と相互に倒置関係にあることを特徴とする、位置検出装置としている。
請求項１１の発明は、請求項１記載の位置検出装置において、光検出ユニットが信号選択回路を具え、一つの光検出素子の獲得した信号光数量が最大の時、その位置にある光検出ユニットが第１ロジック信号を出力し、その他の光検出ユニットが第２ロジック信号を出力することを特徴とする、位置検出装置としている。
請求項１２の発明は、請求項１１記載の位置検出装置において、光検出素子の獲得する信号光数量の判断が最大選択回路により一度で完成することを特徴とする、位置検出装置としている。
請求項１３の発明は、請求項１１記載の位置検出装置において、光検出素子の獲得する信号光数量の判断が少なくとも一つの比較増幅回路により一度で完成することを特徴とする、位置検出装置としている。
請求項１４の発明は、請求項１記載の位置検出装置において、第１ロジック信号、第２ロジック信号及びその組合せのうち一つをデジタル信号に変換する設定及びリセットスイッチを具えたことを特徴とする、位置検出装置としている。
請求項１５の発明は、請求項１記載の位置検出装置において、光学機構がキャプスタンとされ、該キャプスタンに複数のスリットが形成されたことを特徴とする、位置検出装置としている。
請求項１６の発明は、請求項１記載の位置検出装置において、位置検出装置がカーソルポインタ、マウス、回転ボタン及びその組合せのいずれかに応用されたことを特徴とする、位置検出装置としている。
請求項１７の発明は、投射光を発生する光源と、
該光源からの投射光を受け取り並びに処理して信号光を発生する光学機構と、
該光学機構の一側に設けられ、複数の光検出ユニットを具え、各光検出ユニットが該信号光を受け取ることができる少なくとも一つの光検出素子を具え、該光検出素子と該信号光が投射する光照射エリアとの間に傾斜角度が存在する光検出装置と、
を具えたことを特徴とする、位置検出装置としている。
請求項１８の発明は、請求項１７記載の位置検出装置において、光検出素子が非矩形態様とされたことを特徴とする、位置検出装置としている。
請求項１９の発明は、請求項１７記載の位置検出装置において、隣り合う光検出素子の間にギャップが存在し、該ギャップの垂直延伸位置に一つの光検出素子の一部作用面積が存在することを特徴とする、位置検出装置としている。
請求項２０の発明は、投射光を発生する光源と、キャプスタンと光検出装置を具え、
該キャプスタンは該投射光を通過させる複数のスリットを具え、該スリットと該キャプスタンの中央位置に傾斜角度が存在し、該光検出装置は、該キャプスタンの一側に位置し、該光検出装置が複数の光検出ユニットを具え、各光検出ユニットが該信号光を受け取ることができる少なくとも一つの光検出素子を具えたことを特徴とする、位置検出装置としている。
請求項２１の発明は、請求項２０記載の位置検出装置において、投射光がスリットを通過した後に、光検出装置上に非矩形態様の光照射エリアを形成することを特徴とする、位置検出装置としている。
請求項２２の発明は、請求項２０記載の位置検出装置において、投射光がスリットを通過した後に、光検出ユニットが矩形態様とされたことを特徴とする、位置検出装置としている。
【発明の効果】
【００１７】
本発明は一種の位置検出装置、特に光学式の位置検出装置を提供するものであり、それは、光検出装置のギャップの存在により引き起こされるミスジャッジ或いは感度低下の欠点を改善する。ゆえに、本発明の新規性、進歩性及び産業上の利用価値を有しており、特許の要件に符合する。なお、以下に記載の実施例は本発明の実施範囲を限定するものではなく、本発明に基づきなしうる細部の修飾或いは改変は、いずれも本発明の請求範囲に属するものとする。
【発明を実施するための最良の形態】
【００１８】
本発明は好ましい実施例において、投射光を発生する光源と、光源の投射光を受け取り並びに処理して信号光を発生する光学機構と、光検出装置と、を具え、該光検出装置が光学機構の一側に固定されると共に複数の光検出ユニットを具え、各光検出ユニットが信号光を受信する少なくとも一つの光検出素子を具え、該光検出素子が非矩形態様とされている。
【００１９】
本発明は別の実施例において、投射光を発生する光源と、光源の投射光を受け取り並びに処理して信号光を発生する光学機構と、光検出装置と、を具え、該光検出装置が光学機構の一側に固定されると共に複数の光検出ユニットを具え、各光検出ユニットが信号光を受信する少なくとも一つの光検出素子を具え、該光検出素子と信号光が投射する光照射エリアとの間に傾斜角度が存在する。
【００２０】
本発明はさらに別の実施例において、投射光を発生する光源と、キャプスタンと、光検出装置と、を具え、該キャプスタンが投射光を通過させる複数のスリットを具えて該スリットとキャプスタンの中央位置に傾斜角度が存在し、光検出装置に複数の光検出ユニットが設けられ、各光検出ユニットが信号光を受信する少なくとも一つの光検出素子を具えている。
【実施例１】
【００２１】
図５は本発明の位置検出装置の好ましい実施例の光検出動作表示図である。図示されるように、本発明は、従来の矩形態様の光検出素子を非矩形態様、例えばこの実施例中に示される平行四辺形の光検出素子４８１〜４８４に改め、各平行四辺形の光検出素子４８１〜４８４がいずれもフラットな方式で設置され、各二つの平行四辺形型光検出素子４８１〜４８４の間にはギャップ４８８が存在するが、各ギャップ４８８の垂直延伸位置（点線矢印Ａの方向）にはいずれも光検出素子の一部作用面積、例えば図示される光検出素子４８３の右側部分が存在する。言い換えると、信号光の照射により形成される光照射エリア３８１〜３８３と光検出素子４８１〜４８４の間に傾斜角度４５が存在する。
信号光１８がスリット１４を通り光検出装置２０の光検出素子４８１〜４８４に照射する時、その形成する光照射エリアは、従来の技術と同様に、第１光照射エリア３８１、第２光照射エリア３８２、第３光照射エリア３８３を有し、第１光照射エリア３８１と第３光照射エリア３８３ではいずれも第１光検出素子４８１或いは第２光検出素子４８２のいずれの受光面積が大きいかを明らかに判断できる。第２光照射エリア３８２の時、第１光検出素子４８１と第２光検出素子４８２が共同で組成する受光範囲は大きくなり、このため同一の光照射エリア３８２内に完全に二つの光検出素子４８１、４８２が存在することがない。
即ち、二つの光検出素子４８１、４８２が同時に一つの光照射エリア３８２範囲内に存在する時、ギャップ４８８の垂直延伸位置Ａに一つの光検出素子４８１〜４８４の一部作用面積が存在するため、光照射エリアが第１光照射エリア３８１、第２光照射エリア３８２、第３光照射エリア３８３と移動し、且つギャップ４８８を通過する時、少なくとも一つの光検出素子４８１の受光面積が減少し、これに対応して少なくとも一つの光検出素子４８２の受光面積が増加する。第１光検出素子４８１と第２光検出素子４８２の受光面積が完全に同じくなる時間点は瞬間臨界点とされ、長時間安定することはなく、周知の技術のようなギャップ２８８の作用面積を具備せず、ゆえに、信号選択回路３２がどの光検出素子４８１〜４８４の受光面積が最大であり発生する反応電流が大きいかを簡単に比較判断でき、これにより快速且つ精密に検出装置の移動距離の大きさ或いは角度変化を換算することができる。
【実施例２】
【００２２】
図６は本発明のもう一つの実施例の光検出動作表示図である。図示されるように、この実施例中、光検出素子が台形光検出素子５８１〜５８４に改められ、隣り合う二つの台形光検出素子５８１、５８２（或いは５８２、５８３又は５８３、５８４）は相互に倒置された態様を以て設置され、こうしてギャップ５８８の垂直延伸方向に、台形光検出素子５８１〜５８４の一部受光面積が存在し、さらにこの実施例では、第１光検出素子５８１の長い下底５８１１の垂直延伸方向に第２光検出素子５８２の長い下底５２８１が存在する。これにより、第１光照射エリア３８１から順に第２光照射エリア３８２、第３光照射エリア３８３に移動する時、第１光検出素子５８１と第２光検出素子５８２の受光面積が完全に同じとなる瞬間臨界点が一つだけ存在し、これにより、先の実施例と同様に、作用感度を高める長所を達成する。
【実施例３】
【００２３】
図７は本発明の第３実施例の光検出動作表示図である。図示されるように、この実施例では、光検出素子６８１〜６８４が垂直部材６８１１と、該垂直部材６８１１の両端に位置し水平に相互に背向する方向に延伸された第１水平部材６８１３と第２水平部材６８１５を具え、第１水平部材６８１３の長さが第２水平部材６８１５の長さより大きく、各光検出素子６８１〜６８４がいずれもフラット形態で設置され、ギャップ６８８の垂直延伸方向に光検出素子６８１〜６８４の第１水平部材６８１３或いは第２水平部材６８１５が存在している。
【実施例４】
【００２４】
図８は本発明の第４実施例の光検出動作表示図である。図示されるように、この実施例では、第３光検出素子６８５が倒置されて、第２光検出素子６８２と相互に倒置された態様を呈し、ギャップ６８８の垂直延伸方向に第１水平部材６８６３或いは第２水平部材６８６５が位置し、第１水平部材６８６３と第２水平部材６８６５が同じ長さとされている。
【実施例５】
【００２５】
図９は本発明の第５実施例の光検出動作表示図である。図示されるように、この実施例では、光検出素子がＴ形態の光検出素子７８１〜７８４とされ、隣り合うＴ型光検出素子７８１〜７８４が相互に倒置され、ギャップ７８８の垂直延伸位置に一つの光検出素子７８１〜７８４の一部作用面積が存在する。
【実施例６】
【００２６】
図１０、図１１は本発明の第６実施例の斜視図及び光検出動作表示図である。図示されるように、この実施例によると、本発明の位置検出装置は光学機構、例えば中央に軸或いは軸孔８６を具えて周縁に複数のスリット８４を具えたキャプスタン８２を具え、このキャプスタン８２を挟んだ一側に光源が、もう一側に光検出装置８０が設けられ、該光検出装置８０に複数の光検出ユニット８２１〜８２４が設けられ、各光検出ユニット８２１〜８２４に光検出素子９８１〜９８４が設けられている。
この実施例中、キャプスタン８２の各スリット８４がある角度傾斜するように設置されて斜めスリットが形成され、各斜めスリット８４とキャプスタン８２の中央位置或いは直線が傾斜角度８５を有する。これにより、光源８８の発生する投射光８８５が斜めスリットを通過して信号光８８７とされ、光検出素子９８１〜９８４に照射する時、その光照射エリア８８１〜８８３の面積が傾斜角度を有する。これにより、光検出素子９８１〜９８４が矩形態様とされるが、第１光照射エリア８８１、第２光照射エリア８８２、第３光照射エリア８８３がいずれも傾斜作用面積とされ、これにより、ギャップ９８８を光照射エリアが通過する時、少なくとも一つの光検出素子９８１の受光面積が減り、相対的に少なくとも一つの光検出素子９８２の受光面積が増加する状況が発生し、受光面積或いは発生電流量の大きさの判断が容易となり装置の感度を高めることができる。
【実施例７】
【００２７】
最後に図１２は本発明の第７実施例の構造ブロック図である。図示されるように、本発明の上述の各実施例は、本件出願による前述の特許文献１に記載の技術中に適用できる。光検出装置９０は複数の光検出ユニット９２１〜９２４を具え、各光検出ユニット９２１〜９２４はいずれも第１接続端子９４により相互に連接され、並びに信号選択回路（図３中の符号３２）内の最大電流選択回路９５２により一回で受光面積及び発生電流が最大の光検出ユニット９２１〜９２４を選択でき、並びに結果により第１ロジック信号或いは第２ロジック信号を出力し、最後に設定及びリセットスイッチ９７の作用により対応するデジタル信号に変換する。当然、本発明はまた比較増幅回路構造中に適用可能で、ただ設定及びリセットスイッチ９７の設計を電流比較増幅回路９７５とすれば、各光検出ユニット９２１〜９２４が各電流比較増幅回路９７５、９３の層ごとに比較して電流が最大の光検出ユニット９２１〜９２４を取得し、多次の比較により、同様に正確に検出装置の移動距離の大きさと角度変化を計算することができる。
【図面の簡単な説明】
【００２８】
【図１】従来の技術の斜視図である。
【図２】従来の技術のブロック構造図である。
【図３】図２の各光検出ユニットの構造ブロック図である。
【図４】図２の各光検出動作表示図である。
【図５】本発明の実施例の光検出動作表示図である。
【図６】本発明の第２実施例の光検出動作表示図である。
【図７】本発明の第３実施例の光検出動作表示図である。
【図８】本発明の第４実施例の光検出動作表示図である。
【図９】本発明の第５実施例の光検出動作表示図である。
【図１０】本発明の第６実施例の斜視図である。
【図１１】本発明の第６実施例の光検出動作表示図である。
【図１２】本発明の第７実施例の構造ブロック図である。
【符号の説明】
【００２９】
１２  キャプスタン              １４  スリット
１６  軸                        １８  光源
１８１  第１光照射エリア        １８２  第２光照射エリア
１８３  第３光照射エリア        １８５  投射光
１８７  信号光                  ２０  光検出装置
２２１  第１光検出ユニット      ２２２  第２光検出ユニット
２２３  第３光検出ユニット      ２２４  第４光検出ユニット
２４  第１接続端子              ２６  第２接続端子
２８１  第１光検出素子          ２８２  第２光検出素子
２８３  第３光検出素子          ２８４  第４光検出素子
２８８  ギャップ                ３０  電流ミラー回路
３２  信号選択回路              ３２２  最大電流選択回路
３２４  電流総計及びフィードバック回路
３２６  電流変換回路
３６  設定及びリセットスイッチ  ３８  電源接点
３８１  第１光照射エリア        ３８２  第２光照射エリア
３８４  第３光照射エリア        ４５  傾斜角度
４８１  第１光検出素子          ４８２  第２光検出素子
４８３  第３光検出素子          ４８４  第４光検出素子
４８８  ギャップ                ５８１  第１光検出素子
５８１１  長い下底              ５８２  第２光検出素子
５８２１  長い下底              ５８３  第３光検出素子
５８４  第４光検出素子          ５８８  ギャップ
６８１  第１光検出素子          ６８１１  垂直部材
６８１３  第１水平部材          ６８１５  第２水平部材
６８２  第２光検出素子          ６８３  第３光検出素子
６８４  第４光検出素子          ６８５  第３光検出素子
６８６  第４光検出素子          ６８６３  第１水平部材
６８６５  第２水平部材          ６８８  ギャップ
７８１  第１光検出素子          ７８２  第２光検出素子
７８３  第３光検出素子          ７８４  第４光検出素子
７８８  ギャップ                ８０  光検出装置
８２  キャプスタン              ８２１  第１光検出ユニット
８２２  第２光検出ユニット      ８２３  第３光検出ユニット
８２４  第４光検出ユニット      ８４  スリット
８５  傾斜角度                  ８６  軸
８８１  第１光照射エリア        ８８２  第２光照射エリア
８８３  第３光照射エリア        ８８５  投射光
８８７  信号光                  ９０  光検出装置
９２１  第１光検出ユニット      ９２２  第２光検出ユニット
９２３  第３光検出ユニット      ９２４  第４光検出ユニット
９３  比較増幅回路              ９４  第１接続端子
９７  設定及びリセットスイッチ  ９７５  比較増幅回路
９８１  第１光検出素子          ９８２  第２光検出素子
９８３  第３光検出素子          ９８４  第４光検出素子
９８８  ギャップ
【図１】
2005055322.tif 000003
【図２】
2005055322.tif 000004
【図３】
2005055322.tif 000005
【図４】
2005055322.tif 000006
【図５】
2005055322.tif 000007
【図６】
2005055322.tif 000008
【図７】
2005055322.tif 000009
【図８】
2005055322.tif 000010
【図９】
2005055322.tif 000011
【図１０】
2005055322.tif 000012
【図１１】
2005055322.tif 000013
【図１２】
2005055322.tif 000014